(57)【特許請求の範囲】
【請求項１】
シャフトと前記シャフトを固定する締結部をその中央に形成したロータフレームと前記ロータフレームに固定されたロータマグネットと前記ロータフレームに固定された抜け止め部材とを有するロータ部と、前記シャフトを回転自在に支承する軸受と前記軸受をその内径部に保持し前記ロータ部に構成された抜け止め部材と係合して前記ロータ部の抜けを防止するツバを外径側に有する軸受ハウジングと、前記シャフトを軸方向に支承するスラスト受部と、前記軸受ハウジングを保持するモータ取り付け板と前記ロータマグネットと対向配置され巻線を絶縁部材を介して巻装したコアと、前記コアを保持し前記モータ取り付け板に固定されたコアホルダとを備えたステータ部とからなり、さらに前記モータ取り付け板のモータ取り付け部分と前記コアホルダを固定する部分との間に傾斜を有する段差を設けたモータにおいて、
前記コアと前記ロータマグネットの磁気センターを一致させるステップと、
前記抜け止め部材と前記ツバの軸方向の相対位置を配置するステップと、を行い、
さらに、前記モータ取り付け部分と前記ロータフレームの軸方向天面との間の寸法で規定されるモータ高さ寸法の要求値に基づいて前記段差の軸方向寸法を調整するステップを行うモータ高さ寸法の設定方法。
【発明の詳細な説明】
【技術分野】
【０００１】
本発明は、主としてＡＶ機器に用いられるモータに関するものである。
【背景技術】
【０００２】
ＡＶ機器に用いられるディスク駆動装置には、小型、薄型化、低騒音化、低コストが求められ、それに内蔵されるモータへも小型、薄型化、低騒音化、低コストが求められてきた。モータの薄型化のためモータの高さを変える場合、部品の形状、寸法を変化させ対応してきた（例えば特許文献１参照）。
【０００３】
図３に上記特許文献１に記載された従来のモータの構造を示す。図３において４１はシャフト、４２はロータフレーム、４３はロータマグネット、４４は抜け止め部材、４５はスラスト板、４６は軸受、４７は軸受ハウジング、４８はモータ取り付け板、５０はコア、５１はスラストカバー、５２は巻線である。
【０００４】
従来より、コアとマグネットの磁気センターがずれている場合には、ロータの回転位置が変わることでスラスト力が大きくなったり、小さくなったり変化する。このスラスト力の変化はスラスト方向のモータ振動としてあらわれたり、モータの騒音の原因となることが知られている（例えば特許文献２参照）。このため、コア５０とマグネット４３の磁気センターは、ほぼ一致させて低騒音化を実現している。また、ロータに構成された抜け止め部材４４と軸受ハウジング４７に設けられたツバ５３の軸方向の相対位置を適切に配置し、モータやディスク駆動装置に振動や衝撃が加わってもロータ部が抜けないように設定してある。
【特許文献１】特開２００３−３２９３２号公報（第３頁、第４頁、図１）
【特許文献２】特開平１−４７２５３号公報（第２頁）
【発明の開示】
【発明が解決しようとする課題】
【０００５】
しかしながら、上記従来の構成では、モータ取り付け板のモータ取り付け部分からロータフレーム天面までの寸法で規定されるモータ高さ寸法Ｈを変える場合、コアとマグネットの磁気センターをほぼ一致させつつ、ロータに構成された抜け止め部材と軸受ハウジングに設けられたツバの軸方向の相対位置を変化させないための一つの方法として、軸受ハウジングの形状およびスラストカバーの形状を同時に変更する必要があり、部品の共用化ひいては低コスト化を図る上で課題があった。
【０００６】
本発明は、このような従来の課題を解決するものであり、モータの部品を共用化し、低価格を維持し、特性変化も生じることなくモータ高さ寸法を設定できるモータ高さ寸法の設定方法を提供することを目的とする。
【課題を解決するための手段】
【０００７】
上記課題を解決するために本発明は、モータ取り付け板のモータ取り付け部分と軸受ハウジングおよびコアホルダを固定する部分に高さ調整用の段差を設け、モータ取り付け部分とロータフレームの軸方向天面との間の寸法で規定されるモータ高さ寸法を、前記段差の寸法を調整することにより、要求値に設定するモータ高さ寸法の設定方法である。
【発明の効果】
【０００８】
本発明の請求項１に記載の発明は、モータの高さを変える場合にモータ取り付け板に設けられた段差を変えるだけでモータ高さを変えることができ、モータの部品を共用化し、
低価格を維持し、特性変化もしないモータを提供することができるという効果を有する。
【発明を実施するための最良の形態】
【０００９】
以下本発明を実施するための最良の形態について、図面を参照して説明する。
【００１０】
（実施の形態１）
図１においてモータはロータ部とステータ部とにより構成される。ロータ部は、シャフト１をその中心部に固定したロータフレーム２と、このロータフレーム２に取り付けられたロータマグネット３と、ロータフレーム２から切り出された抜け止め部材４とを有している。
【００１１】
ステータ部は、前記シャフト１を回転自在に支承する軸受６と、この軸受６を保持する軸受ハウジング７と、軸方向にシャフト１を支承してスラスト受部を構成するスラスト板５と、ロータマグネット３と対向して配置され巻線１２が施されたコア１０と、このコア１０を保持するコアホルダ９と、このコアホルダ９を保持するモータ取り付け板８とを有し、軸受ハウジング７はその外径側にツバ１３を有し、このツバ１３が抜け止め部材４とは係合して、ロータ部がステータ部から抜けない構成になっている。そして、軸受ハウジング７は、下端部にスラスト板５を収容しながらモータ取り付け板８の上面に固定されている。モータ取り付け板８の軸方向上側の面はモータ取り付け部分となる。そして、モータ取り付け板８のモータ取り付け部分とコアホルダ９を固定する部分との間にはモータ高さ調整用の段差Ｈ１を有する構成になっている。
【００１２】
かかる構成によればモータの高さ寸法Ｈを変える場合にモータ取り付け板８に設けられた段差Ｈ１を変えるだけでモータ高さ寸法Ｈを変えることができ、モータの部品を共用化し、低価格を維持し、特性変化もしないモータを提供することができる。
【００１３】
（実施の形態２）
図２に、本発明の別の実施の形態を示す。図１に示す実施の形態１と同じ機能の構成要素には同一の符号を付与し説明を省略する。上記の実施の形態１と大きく異なるのは、軸受ハウジング７とコア１０を保持するコアホルダ９が一体に形成されており、軸受ハウジング７がコア１０を保持している点である。その他には、ロータフレーム２と別体で形成された抜け止め部材４がロータフレーム２に取り付けられており、スラスト板５を収容保持するスラストカバー１１が軸受ハウジング７の下端部に固定されてスラスト受部が構成されている点が上記実施の形態１と異なっている。そして、モータ取り付け板８のモータ取り付け部分と軸受ハウジング７を固定する部分との間にはモータ高さ調整用の段差Ｈ２を有する構成になっている。
【００１４】
かかる構成によればモータの高さ寸法Ｈを変える場合にモータ取り付け板８に設けられた段差Ｈ２を変えるだけでモータ高さ寸法Ｈを変えることができ、モータの部品を共用化し、低価格を維持し、特性変化もしないモータを提供することができる。
【産業上の利用可能性】
【００１５】
本発明に係るモータは、モータ取り付け板に高さ調整用の段差を設けることによってモータの部品、工程、特性を変えることなくモータの高さを変えることができるという効果を有し、ＡＶ機器に用いられるモータの高さ寸法の設定方法等として有用である。
【図面の簡単な説明】
【００１６】
【図１】本発明の実施の形態１によるモータを示す断面図
【図２】本発明の実施の形態２によるモータを示す断面図
【図３】従来のモータの断面図
【符号の説明】
【００１７】
１、４１  シャフト
２、４２  ロータフレーム
３、４３  ロータマグネット
４、４４  抜け止め部材
５、４５  スラスト板
６、４６  軸受
７、４７  軸受ハウジング
８、４８  モータ取り付け板
９  コアホルダ
１０、５０  コア
１１、５１  スラストカバー
１２、５２  巻線
１３、５３  ツバ
【図１】
0005181643.tif 000002
【図２】
0005181643.tif 000003
【図３】
0005181643.tif 000004